(57)【特許請求の範囲】
【請求項１】
一体型または分離型空調、氷蓄熱空調、冷蔵庫、冷凍や降温または加熱温度制御、除湿応用装置に応用される能動噴射式の冷媒供給制御を行う調温システムであって、
蒸発器に冷媒インジェックタを設置し、加圧噴射方式によって冷媒を空調システムの蒸発器に噴射し、電子制御ユニットＥＣＵ１００を通して冷媒インジェックタの噴射方向、加圧噴射の設定量及び噴射圧力強度を制御し、冷媒を蒸発器ＥＶＡ１００の内部または外部に供給し、
冷媒を冷媒インジェックタＩＪ１００によって細顆粒状または微細な霧状にしてから蒸発器ＥＶＡ１００の内部または外部に噴射し、細顆粒状または微細な霧状の冷媒を加速して蒸発器ＥＶＡ１００の表面に噴射することによって、冷媒を拡散させて薄膜を形成し蒸発させ、既に蒸発した気体の冷媒を蒸発器ＥＶＡ１００の表面から離し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射し、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００或いは完全に蒸発していない液体の冷媒ＲＥＦ１００を流出させる出口を設け、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させることを特徴とする能動噴射式の冷媒供給制御を行う調温システム。
【請求項２】
温度計測器ＴＤ１００をさらに備え、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から、蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を駆動制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００或いは完全に蒸発していない液体の冷媒ＲＥＦ１００を流出させる出口を設け、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させることを特徴とする請求項１に記載の能動噴射式の冷媒供給制御を行う調温システム。
【請求項３】
液体冷媒検出器ＨＤ１００を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００或いは完全に蒸発していない液体の冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体の冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させることを特徴とする請求項１に記載の能動噴射式の冷媒供給制御を行う調温システム。
【請求項４】
温度計測器ＴＤ１００及び液体冷媒検出器ＨＤ１００を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００と液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００或いは完全に蒸発していない液体冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体の冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させることを特徴とする請求項１に記載の能動噴射式の冷媒供給制御を行う調温システム。
【請求項５】
エアーを蒸発器ＥＶＡ１００にブローするファンＦ１０１を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００と液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００或いは完全に蒸発していない液体冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体の冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させ、
ファンＦ１０１は、電気モータまたは機械的な回転力によって駆動されるファンであり、エアーを蒸発器ＥＶＡ１００に通過させ、蒸発器ＥＶＡ１００と熱交換したエアーを再び送り出すことを特徴とする請求項４に記載の能動噴射式の冷媒供給制御を行う調温システム。
【請求項６】
エアーを蒸発器ＥＶＡ１００にブローするファンＦ１０１、及びエアーを凝結器ＣＯＮ１００にブローするファンＦ１０２を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００と液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００或いは完全に蒸発していない液体冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体の冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させ、
ファンＦ１０１は、電気モータまたは機械的な回転力によって駆動されるファンであり、エアーを蒸発器ＥＶＡ１００に通過させ、蒸発器ＥＶＡ１００と熱交換したエアーを再び送り出し、
ファンＦ１０２は、電気モータまたは機械的な回転力によって駆動されるファンであり、エアーを凝結器ＣＯＮ１００に通過させ、凝結器ＣＯＮ１００とエアーを熱交換させることを特徴とする請求項４に記載の能動噴射式の冷媒供給制御を行う調温システム。
【請求項７】
蒸発器ＥＶＡ１００と熱交換装置ＨＥ１００とを結合し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００と液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００或いは完全に蒸発していない液体冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体の冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させ、
熱交換装置ＨＥ１００は、一次側蒸発器ＥＶＡ１００及び二次側管路Ｐ２００を結合させることによって熱エネルギーを伝送する構造であり、
二次側管路Ｐ２００は、熱交換装置ＨＥ１００の二次側管路であり、気体または液体流体を通過させることを特徴とする請求項４に記載の能動噴射式の冷媒供給制御を行う調温システム。
【請求項８】
ファンＦ１０２を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００と液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００または完全に蒸発していない液体冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体の冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させ、
熱交換装置ＨＥ１００は、一次側蒸発器ＥＶＡ１００及び二次側管路Ｐ２００を結合させることによって熱エネルギーを伝送する構造であり、
二次側管路Ｐ２００は、熱交換装置ＨＥ１００の二次側管路であり、気体または液体流体を通過させ、
ファンＦ１０２は、電気モータまたは機械的な回転力によって駆動されるファンであり、エアーを凝結器ＣＯＮ１００に通過させ、凝結器ＣＯＮ１００とエアーを熱交換させることを特徴とする請求項７に記載の能動噴射式の冷媒供給制御を行う調温システム。
【請求項９】
減圧スロットル装置Ｒ１００を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００または完全に蒸発していない液体冷媒ＲＥＦ１００を流出させる出口を設け、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
減圧スロットル装置Ｒ１００は、膨張弁、毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置し、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させることを特徴とする請求項１に記載の能動噴射式の冷媒供給制御を行う調温システム。
【請求項１０】
減圧スロットル装置Ｒ１００を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００または完全に蒸発していない液体冷媒ＲＥＦ１００を流出させる出口を設け、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
減圧スロットル装置Ｒ１００は、膨張弁、毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置し、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させることを特徴とする請求項２に記載の能動噴射式の冷媒供給制御を行う調温システム。
【請求項１１】
減圧スロットル装置Ｒ１００を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００または完全に蒸発していない液体冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
減圧スロットル装置Ｒ１００は、膨張弁、毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置し、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させることを特徴とする請求項３に記載の能動噴射式の冷媒供給制御を行う調温システム。
【請求項１２】
減圧スロットル装置Ｒ１００を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００と液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００または完全に蒸発していない液体冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
減圧スロットル装置Ｒ１００は、膨張弁、毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置し、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させることを特徴とする請求項４に記載の能動噴射式の冷媒供給制御を行う調温システム。
【請求項１３】
減圧スロットル装置Ｒ１００を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００と液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００または完全に蒸発していない液体冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体の冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
減圧スロットル装置Ｒ１００は、膨張弁、毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置し、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させ、
ファンＦ１０１は、電気モータまたは機械的な回転力によって駆動されるファンであり、エアーを蒸発器ＥＶＡ１００に通過させ、蒸発器ＥＶＡ１００と熱交換したエアーを再び送り出すことを特徴とする請求項５に記載の能動噴射式の冷媒供給制御を行う調温システム。
【請求項１４】
減圧スロットル装置Ｒ１００を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００と液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００または完全に蒸発していない液体冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体の冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
減圧スロットル装置Ｒ１００は、膨張弁、毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置し、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させ、
ファンＦ１０１は、電気モータまたは機械的な回転力によって駆動されるファンであり、エアーを蒸発器ＥＶＡ１００に通過させ、蒸発器ＥＶＡ１００と熱交換したエアーを再び送り出し、
ファンＦ１０２は、電気モータまたは機械的な回転力によって駆動されるファンであり、エアーを凝結器ＣＯＮ１００に通過させ、凝結器ＣＯＮ１００とエアーを熱交換させることを特徴とする請求項６に記載の能動噴射式の冷媒供給制御を行う調温システム。
【請求項１５】
減圧スロットル装置Ｒ１００を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００と液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００または完全に蒸発していない液体冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体の冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
減圧スロットル装置Ｒ１００は、膨張弁、毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置し、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させ、
熱交換装置ＨＥ１００は、一次側蒸発器ＥＶＡ１００及び二次側管路Ｐ２００を結合させることによって熱エネルギーを伝送する構造であり、
二次側管路Ｐ２００は、熱交換装置ＨＥ１００の二次側管路であり、気体または液体流体を通過させることを特徴とする請求項７に記載の能動噴射式の冷媒供給制御を行う調温システム。
【請求項１６】
減圧スロットル装置Ｒ１００を追加設置し、
入力制御装置ＯＩＤ１００は、手動操作電気機械インタフェースによって構成されるか、或いはアナログまたはデジタルで入力信号を制御する回路装置によって構成され、システムの起動と停止、動作モードの選択、設定温度の調節、及びファンの風量設定を制御し、
温度計測器ＴＤ１００は、蒸発器によって生じた温度を計測し、電子制御ユニットＥＣＵ１００へ伝送し、
電子制御ユニットＥＣＵ１００は、機電制御装置、固相電子回路装置、マイクロプロセッサおよび関連ソフトウェアによって構成され、入力制御装置ＯＩＤ１００のコマンドを受け、温度計測器ＴＤ１００と液体冷媒検出器ＨＤ１００が計測した信号を処理し、駆動回路装置ＣＤ１００を操作してから、冷媒インジェックタＩＪ１００を駆動し、凝結器ＣＯＮ１００から来る液体の冷媒ＲＥＦ１００を冷媒インジェックタＩＪ１００から蒸発器ＥＶＡ１００の内部または外部に加圧噴射するタイミングを制御し、
駆動回路装置ＣＤ１００は、電子制御ユニットＥＣＵ１００の制御信号を受けてから冷媒インジェックタＩＪ１００の噴射方向、加圧噴射の設定量及び噴射圧力強度を制御し、凝結器ＣＯＮ１００から来る液体の冷媒ＲＥＦ１００を固定の方向または周期的に変動する方向に沿って加圧噴射し、細顆粒状または微細な霧状の冷媒を蒸発器ＥＶＡ１００の内部または外部に噴射させ、
冷媒インジェックタＩＪ１００は、一個または一個以上の機械力または電磁力、磁気ひずみ、或いは、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体の冷媒ＲＥＦ１００を設定量と設定強度に従って固定の方向または周期的に変動する方向に加圧噴射し、細顆粒状または微細な霧状の冷媒を蒸発器ＥＶＡ１００の内部または外部に噴射させ、
蒸発器ＥＶＡ１００は、熱伝導性が良好な材料によって構成され、その内部に流体が流通する空間を備え、蒸発器ＥＶＡ１００に冷媒インジェックタＩＪ１００を設け、凝結器ＣＯＮ１００から来て噴射された後に蒸発して気体となった冷媒ＲＥＦ１００または完全に蒸発していない液体冷媒ＲＥＦ１００を流出させる出口を設け、
液体冷媒検出器ＨＤ１００は、蒸発器ＥＶＡ１００に設置され、蒸発器ＥＶＡ１００内にある冷媒ＲＥＦ１００の蒸発状況を計測し、冷媒ＲＥＦ１００が完全に蒸発せず液体の冷媒ＲＥＦ１００が残留しているとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らし、
圧縮ポンプＰＵＭＰ１００は、機械力またはモータの力、油圧モータ、エンジン、或いは、電磁コイルを回転駆動または往復駆動させる圧搾流体ポンプによって、蒸発器ＥＶＡ１００から来る気体の冷媒ＲＥＦ１００を圧縮し、
凝結器ＣＯＮ１００は、熱伝導性が良好な材料によって構成され、その内部に冷媒ＲＥＦ１００が流通する管路を備え、冷媒ＲＥＦ１００を凝結させ、
減圧スロットル装置Ｒ１００は、膨張弁、毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置し、
管路Ｐ１００は、冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させ、
熱交換装置ＨＥ１００は、一次側蒸発器ＥＶＡ１００及び二次側管路Ｐ２００を結合させることによって熱エネルギーを伝送する構造であり、
二次側管路Ｐ２００は、熱交換装置ＨＥ１００の二次側管路であり、気体または液体流体を通過させ、
ファンＦ１０２は、電気モータまたは機械的な回転力によって駆動されるファンであり、エアーを凝結器ＣＯＮ１００に通過させ、凝結器ＣＯＮ１００とエアーを熱交換させることを特徴とする請求項８に記載の能動噴射式の冷媒供給制御を行う調温システム。
【発明の詳細な説明】
【技術分野】
【０００１】
本発明は、能動噴射式の冷媒供給制御装置である。
【背景技術】
【０００２】
従来の空調または冷凍に応用される調温システム、例えば一体型または分離型空調（冷暖房）、氷蓄熱空調、冷蔵庫、冷凍や降温または加熱温度制御、除湿応用装置などでは、冷媒が蒸発器の入るとき、通常調整コイルまたは調整弁を経て受動的に蒸発器に吸入されるので、拡散度と均一度が低い。
【先行技術文献】
【特許文献】
【０００３】
【特許文献１】特開２００１−２１５０６５号公報
【発明の概要】
【発明が解決しようとする課題】
【０００４】
従来の空調または冷凍に応用される調温システム、例えば一体型または分離型空調（冷暖房）、氷蓄熱空調、冷蔵庫、冷凍や降温または加熱温度制御、除湿応用装置などでは、冷媒が蒸発器の入るとき、通常調整コイルまたは調整弁を経て受動的に蒸発器に吸入されるので、拡散度と均一度が低い。
【課題を解決するための手段】
【０００５】
本発明の能動噴射式の冷媒供給制御を行う調温システムは、一体型または分離型空調（冷暖房）、氷蓄熱空調、冷蔵庫、冷凍や降温または加熱温度制御、除湿応用装置に応用される能動噴射式の冷媒供給制御を行う調温システムであって、蒸発器に冷媒インジェックタを設置し、加圧噴射方式によって冷媒を空調システムの蒸発器に噴射し、また電子制御ユニットＥＣＵ１００を通して、冷媒インジェックタの噴射方向、加圧噴射の設定量及び噴射圧力強度を制御し、蒸発器ＥＶＡ１００の内部または外部に噴射する。
【０００６】
構造から言えば、従来の乾式蒸発器の冷媒は、銅管内で氷水の熱エネルギーを吸収した後、過熱ガスに蒸発されてから圧縮機に戻り、氷水がシェルに入ってから銅管外部を覆う。満液式蒸発器の場合、蒸発器の内部または外部に冷媒を入れ、冷媒はシェル側での水位を一定に保ち、冷媒が氷水の熱エネルギーを吸収した後、気体冷媒に蒸発されてから圧縮機に戻る。噴霧式蒸発器は、液状冷媒を噴射させ、蒸発器に薄膜を形成することによって、氷水の熱エネルギーを吸収した後、気体冷媒に蒸発されてから圧縮機に戻る。流下膜式蒸発器の液状冷媒は液滴状、柱状または片状になってから流下し、気泡の混じった冷媒ガスが液体冷媒の重力に影響され、液体冷媒と一緒に下方へ移動する。
【０００７】
本発明に開示された能動噴射式の冷媒供給制御を行う調温システムは、冷媒を冷媒インジェックタＩＪ１００によって細顆粒状または微細な霧状にしてから、蒸発器ＥＶＡ１００の内部または外部に噴射し、細顆粒状または微細な霧状冷媒を加速して、蒸発器ＥＶＡ１００の表面に噴射することによって、拡散して薄膜を形成し蒸発させ、また既に蒸発した気体冷媒を蒸発器ＥＶＡ１００の表面から離す。
【図面の簡単な説明】
【０００８】
【図１】本発明のシステムの基本原理の主なシステム構成模式図である。
【図２】図１のシステムに温度計測器を追加設置するシステム構成模式図である。
【図３】図１のシステムに液体冷媒検出器を追加設置するシステム構成模式図である。
【図４】図１のシステムに温度計測器及び液体冷媒検出器を追加設置するシステム構成模式図である。
【図５】図４のシステムに、エアーを蒸発器にブローするファンを追加設置するシステム構成模式図である。
【図６】図４のシステムに、エアーを蒸発器にブローするファン、及び、エアーを凝結器にブローするを追加設置するシステム構成模式図である。
【図７】図４のシステムの蒸発器を熱交換装置と結合させたシステムの構成模式図である。
【図８】図７のシステムにファンを追加設置するシステム構成模式図である。
【図９】図１のシステムに減圧スロットル装置を追加設置するシステム構成模式図である。
【図１０】図２のシステムに減圧スロットル装置を追加設置するシステム構成模式図である。
【図１１】図３のシステムに減圧スロットル装置を追加設置するシステム構成模式図である。
【図１２】図４のシステムに減圧スロットル装置を追加設置するシステム構成模式図である。
【図１３】図５のシステムに減圧スロットル装置を追加設置するシステム構成模式図である。
【図１４】図６のシステムに減圧スロットル装置を追加設置するシステム構成模式図である。
【図１５】図７のシステムに減圧スロットル装置を追加設置するシステム構成模式図である。
【図１６】図８のシステムに減圧スロットル装置を追加設置するシステム構成模式図である。
【発明を実施するための形態】
【０００９】
本実施形態は、能動的加圧噴射方式の冷媒供給制御を行う温調システムであって、能動的に冷媒を蒸発器に噴射することによって拡散度と均一度を高めることを特徴とする。
本実施形態の能動噴射式の冷媒供給制御を行う調温システムは、一体型または分離型空調（冷暖房）、氷蓄熱空調、冷蔵庫、冷凍や降温または加熱温度制御、除湿応用装置に応用される能動噴射式の冷媒供給制御を行う調温システムであって、蒸発器に冷媒インジェックタを設置し、加圧噴射方式によって冷媒を空調システムの蒸発器に噴射し、また電子制御ユニットＥＣＵ１００を通して、冷媒インジェックタのの噴射方向、加圧噴射の設定量及び噴射圧力強度を制御し、蒸発器ＥＶＡ１００の内部または外部に噴射する。
【００１０】
構造から言えば、従来の乾式蒸発器の冷媒は、銅管内で氷水の熱エネルギーを吸収した後、過熱ガスに蒸発されてから圧縮機に戻り、氷水がシェルに入ってから銅管外部を覆う。満液式蒸発器の場合は、蒸発器の内部または外部に冷媒を入れ、冷媒はシェル側での水位を一定に保ち、冷媒が氷水の熱エネルギーを吸収した後、気体冷媒に蒸発されてから圧縮機に戻る。噴霧式蒸発器は、液状冷媒を噴射させ、蒸発器に薄膜を形成することによって、氷水の熱エネルギーを吸収した後、気体冷媒に蒸発されてから圧縮機に戻る。流下膜式蒸発器の液状冷媒は液滴状、柱状または片状になってから流下し、気泡の混じった冷媒ガスが液体冷媒の重力に影響され、液体冷媒と一緒に下方へ移動する。
【００１１】
本実施形態の能動噴射式の冷媒供給制御を行う調温システムは、冷媒を冷媒インジェックタＩＪ１００によって細顆粒状または微細な霧状にしてから、蒸発器ＥＶＡ１００の内部または外部に噴射し、細顆粒状または微細な霧状冷媒を加速して、蒸発器ＥＶＡ１００の表面に噴射することによって、拡散して薄膜を形成し蒸発させ、また既に蒸発した気体冷媒を蒸発器ＥＶＡ１００の表面から離す。
【００１２】
本実施形態のの能動噴射式の冷媒供給制御を行う調温システムについて、下記に説明する。
図１は本実施形態のシステムの基本原理の主なシステム構成模式図である。
図１に示すように、その主な構成は以下の通りである。
【００１３】
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【００１４】
電子制御ユニットＥＣＵ１００は、機電制御装置、固相電子回路装置及びマイクロプロセッサと関連ソフトウェアによって構成され、入力制御装置ＯＩＤ１００のコマンドを受け、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【００１５】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【００１６】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【００１７】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【００１８】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【００１９】
凝結器ＣＯＮ１００は、熱伝導性が良好な材料によって構成され、その内部に冷媒ＲＥＦ１００が流通する管路構造を備え、冷媒ＲＥＦ１００凝結させる。
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
【００２０】
図２は、図１のシステムに温度計測器ＴＤ１００を追加設置するシステム構成模式図である。
図２に示すように、その主な構成は以下の通りである。
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【００２１】
温度計測器ＴＤ１００は、蒸発器によって生じた温度を計測し、電子制御ユニットＥＣＵ１００へ伝送する。
電子制御ユニットＥＣＵ１００は、機電制御装置、固相電子回路装置及びマイクロプロセッサと関連ソフトウェアによって構成され、入力制御装置ＯＩＤ１００のコマンドを受け、及温度計測器ＴＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【００２２】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【００２３】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【００２４】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【００２５】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【００２６】
凝結器ＣＯＮ１００は、熱伝導性が良好な材料によって構成され、その内部に冷媒ＲＥＦ１００が流通する管路構造を備え、冷媒ＲＥＦ１００凝結させる。
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
【００２７】
図３は、図１のシステムに液体冷媒検出器ＨＤ１００を追加設置するシステム構成模式図である。
図３に示すように、その主な構成は以下の通りである。
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【００２８】
電子制御ユニットＥＣＵ１００は、機電制御装置、固相電子回路装置及びマイクロプロセッサと関連ソフトウェアによって構成され、入力制御装置ＯＩＤ１００のコマンドを受け、及び液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【００２９】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【００３０】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【００３１】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【００３２】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【００３３】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【００３４】
凝結器ＣＯＮ１００は、熱伝導性が良好な材料によって構成され、その内部に冷媒ＲＥＦ１００が流通する管路構造を備え、冷媒ＲＥＦ１００凝結させる。
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
【００３５】
図４は、図１のシステムに温度計測器ＴＤ１００及び液体冷媒検出器ＨＤ１００を追加設置するシステム構成模式図である。
図４に示すように、その主な構成は以下の通りである。
【００３６】
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【００３７】
温度計測器ＴＤ１００は、蒸発器によって生じた温度を計測し、電子制御ユニットＥＣＵ１００へ伝送する。
電子制御ユニットＥＣＵ１００は、機電制御装置、固相電子回路装置及びマイクロプロセッサと関連ソフトウェアによって構成され、入力制御装置ＯＩＤ１００のコマンドを受け、及び温度計測器ＴＤ１００と液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【００３８】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【００３９】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【００４０】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【００４１】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【００４２】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【００４３】
凝結器ＣＯＮ１００は、熱伝導性が良好な材料によって構成され、その内部に冷媒ＲＥＦ１００が流通する管路構造を備え、冷媒ＲＥＦ１００凝結させる。
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
【００４４】
図５は、図４のシステムに、エアーを蒸発器ＥＶＡ１００にブローするファンＦ１０１を追加設置するシステム構成模式図である。
図５に示すように、その主な構成は以下の通りである。
【００４５】
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【００４６】
温度計測器ＴＤ１００は、蒸発器によって生じた温度を計測し、電子制御ユニットＥＣＵ１００へ伝送する。
電子制御ユニットＥＣＵ１００は、機電制御装置、固相電子回路装置及びマイクロプロセッサと関連ソフトウェアによって構成され、入力制御装置ＯＩＤ１００のコマンドを受け、及び温度計測器ＴＤ１００と液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【００４７】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【００４８】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【００４９】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【００５０】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【００５１】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
凝結器ＣＯＮ１００は、熱伝導性が良好な材料によって構成され、その内部に冷媒ＲＥＦ１００が流通する管路構造を備え、冷媒ＲＥＦ１００凝結させる。
【００５２】
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
ファンＦ１０１：電気モータまたは機械的な回転力によって駆動されるファンであり、エアーを蒸発器ＥＶＡ１００に通過させ、蒸発器ＥＶＡ１００と熱交換したエアーを再び送り出す。
【００５３】
図６は、図４のシステムに、エアーを蒸発器ＥＶＡ１００にブローするファンＦ１０１、及びエアーを凝結器ＣＯＮ１００にブローするファンＦ１０２を追加設置するシステム構成模式図である。
図６に示すように、その主な構成は以下の通りである。
【００５４】
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
温度計測器ＴＤ１００は、蒸発器によって生じた温度を計測し、電子制御ユニットＥＣＵ１００へ伝送する。
【００５５】
電子制御ユニットＥＣＵ１００は、機電制御装置、固相電子回路装置及びマイクロプロセッサと関連ソフトウェアによって構成され、入力制御装置ＯＩＤ１００のコマンドを受け、及び温度計測器ＴＤ１００と液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【００５６】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【００５７】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【００５８】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【００５９】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【００６０】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【００６１】
凝結器ＣＯＮ１００は、熱伝導性が良好な材料によって構成され、その内部に冷媒ＲＥＦ１００が流通する管路構造を備え、冷媒ＲＥＦ１００凝結させる。
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
【００６２】
ファンＦ１０１は、電気モータまたは機械的な回転力によって駆動されるファンであり、エアーを蒸発器ＥＶＡ１００に通過させ、蒸発器ＥＶＡ１００と熱交換したエアーを再び送り出す。
ファンＦ１０２は、電気モータまたは機械的な回転力によって駆動されるファンであり、エアーを凝結器ＣＯＮ１００に通過させ、凝結器ＣＯＮ１００とエアーを熱交換させる。
【００６３】
図７は、図４のシステムの蒸発器ＥＶＡ１００を熱交換装置ＨＥ１００と結合するシステムブロック模式図である。
図７に示すように、その主な構成は以下の通りである。
【００６４】
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
温度計測器ＴＤ１００は、蒸発器によって生じた温度を計測し、電子制御ユニットＥＣＵ１００へ伝送する。
【００６５】
電子制御ユニットＥＣＵ１００は、機電制御装置、固相電子回路装置及びマイクロプロセッサと関連ソフトウェアによって構成され、入力制御装置ＯＩＤ１００のコマンドを受け、及び温度計測器ＴＤ１００と液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【００６６】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【００６７】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【００６８】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【００６９】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【００７０】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【００７１】
凝結器ＣＯＮ１００は、熱伝導性が良好な材料によって構成され、その内部に冷媒ＲＥＦ１００が流通する管路構造を備え、冷媒ＲＥＦ１００凝結させる。
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
【００７２】
熱交換装置ＨＥ１００は、一次側蒸発器ＥＶＡ１００及び二次側管路Ｐ２００を結合させることによって、熱エネルギーを伝送する構造である。
二次側管路Ｐ２００は、熱交換装置ＨＥ１００の二次側管路であり、気体または液体流体を通過させる。
【００７３】
図８は、図７のシステムにファンＦ１０２を追加設置するシステムブロック模式図である。
図８に示すように、その主な構成は以下の通りである。
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
温度計測器ＴＤ１００は、蒸発器によって生じた温度を計測し、電子制御ユニットＥＣＵ１００へ伝送する。
【００７４】
電子制御ユニットＥＣＵ１００は、機電制御装置、固相電子回路装置及びマイクロプロセッサと関連ソフトウェアによって構成され、入力制御装置ＯＩＤ１００のコマンドを受け、及び温度計測器ＴＤ１００と液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【００７５】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【００７６】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、凝結器ＣＯＮ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【００７７】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【００７８】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【００７９】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【００８０】
凝結器ＣＯＮ１００は、熱伝導性が良好な材料によって構成され、その内部に冷媒ＲＥＦ１００が流通する管路構造を備え、冷媒ＲＥＦ１００凝結させる。
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
【００８１】
熱交換装置ＨＥ１００は、一次側蒸発器ＥＶＡ１００及び二次側管路Ｐ２００を結合させることによって、熱エネルギーを伝送する構造である。
二次側管路Ｐ２００は、熱交換装置ＨＥ１００の二次側管路であり、気体または液体流体を通過させる。
【００８２】
ファンＦ１０２は、電気モータまたは機械的な回転力によって駆動されるファンであり、エアーを凝結器ＣＯＮ１００に通過させ、凝結器ＣＯＮ１００とエアーを熱交換させる。
本項の能動噴射式の冷媒供給制御を行う調温システムを安定させるために、更に一歩進んで凝結器ＣＯＮ１００と冷媒インジェックタＩＪ１００の流路との間に減圧スロットル装置Ｒ１００を直列に接続することによって、システムの安定性を向上させる。その実施例は下記の通りである。
【００８３】
図９は、図１のシステムに減圧スロットル装置Ｒ１００を追加設置するシステム構成模式図である。
図９に示すように、その主な構成は以下の通りである。
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【００８４】
電子制御ユニットＥＣＵ１００は、機電制御装置、固相電子回路装置及びマイクロプロセッサと関連ソフトウェアによって構成され、入力制御装置ＯＩＤ１００のコマンドを受け、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【００８５】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【００８６】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【００８７】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【００８８】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
凝結器ＣＯＮ１００は、熱伝導性が良好な材料によって構成され、その内部に冷媒ＲＥＦ１００が流通する管路構造を備え、冷媒ＲＥＦ１００凝結させる。
【００８９】
減圧スロットル装置Ｒ１００は、膨張弁または毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置する。
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
【００９０】
図１０は、図２のシステムに減圧スロットル装置Ｒ１００を追加設置するシステム構成模式図である。
図１０に示すように、その主な構成は以下の通りである。
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【００９１】
温度計測器ＴＤ１００は、蒸発器によって生じた温度を計測し、電子制御ユニットＥＣＵ１００へ伝送する。
電子制御ユニットＥＣＵ１００は、機電制御装置、固相電子回路装置及びマイクロプロセッサと関連ソフトウェアによって構成され、入力制御装置ＯＩＤ１００のコマンドを受け、及温度計測器ＴＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【００９２】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【００９３】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【００９４】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【００９５】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【００９６】
凝結器ＣＯＮ１００は、熱伝導性が良好な材料によって構成され、その内部に冷媒ＲＥＦ１００が流通する管路構造を備え、冷媒ＲＥＦ１００凝結させる。
減圧スロットル装置Ｒ１００は、膨張弁または毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置する。
【００９７】
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
図１１は、図３のシステムに減圧スロットル装置Ｒ１００を追加設置するシステム構成模式図である。
図１１に示すように、その主な構成は以下の通りである。
【００９８】
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【００９９】
電子制御ユニットＥＣＵ１００は、機電制御装置、固相電子回路装置及びマイクロプロセッサと関連ソフトウェアによって構成され、入力制御装置ＯＩＤ１００のコマンドを受け、及び液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【０１００】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【０１０１】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【０１０２】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【０１０３】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【０１０４】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
凝結器ＣＯＮ１００は、熱伝導性が良好な材料によって構成され、その内部に冷媒ＲＥＦ１００が流通する管路構造を備え、冷媒ＲＥＦ１００凝結させる。
【０１０５】
減圧スロットル装置Ｒ１００は、膨張弁または毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置する。
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
【０１０６】
図１２は、図４のシステムに減圧スロットル装置Ｒ１００を追加設置するシステム構成模式図である。
図１２に示すように、その主な構成は以下の通りである。
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【０１０７】
温度計測器ＴＤ１００は、蒸発器によって生じた温度を計測し、電子制御ユニットＥＣＵ１００へ伝送する。
電子制御ユニットＥＣＵ１００は、機電制御装置、固相電子回路装置及びマイクロプロセッサと関連ソフトウェアによって構成され、入力制御装置ＯＩＤ１００のコマンドを受け、及び温度計測器ＴＤ１００と液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【０１０８】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【０１０９】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【０１１０】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【０１１１】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【０１１２】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
凝結器ＣＯＮ１００は、熱伝導性が良好な材料によって構成され、その内部に冷媒ＲＥＦ１００が流通する管路構造を備え、冷媒ＲＥＦ１００凝結させる。
【０１１３】
減圧スロットル装置Ｒ１００は、膨張弁または毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置する。
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
【０１１４】
図１３は、図５のシステムに減圧スロットル装置Ｒ１００を追加設置するシステム構成模式図である。
図１３に示すように、その主な構成は以下の通りである。
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【０１１５】
温度計測器ＴＤ１００は、蒸発器によって生じた温度を計測し、電子制御ユニットＥＣＵ１００へ伝送する。
電子制御ユニットＥＣＵ１００は、機電制御装置、固相電子回路装置及びマイクロプロセッサと関連ソフトウェアによって構成され、入力制御装置ＯＩＤ１００のコマンドを受け、及び温度計測器ＴＤ１００と液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【０１１６】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【０１１７】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【０１１８】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【０１１９】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【０１２０】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【０１２１】
凝結器ＣＯＮ１００は、熱伝導性が良好な材料によって構成され、その内部に冷媒ＲＥＦ１００が流通する管路構造を備え、冷媒ＲＥＦ１００凝結させる。
減圧スロットル装置Ｒ１００は、膨張弁または毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置する。
【０１２２】
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
ファンＦ１０１は、電気モータまたは機械的な回転力によって駆動されるファンであり、エアーを蒸発器ＥＶＡ１００に通過させ、蒸発器ＥＶＡ１００と熱交換したエアーを再び送り出す。
【０１２３】
図１４は、図６のシステムに減圧スロットル装置Ｒ１００を追加設置するシステム構成模式図である。
図１４に示すように、その主な構成は以下の通りである。
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【０１２４】
温度計測器ＴＤ１００は、蒸発器によって生じた温度を計測し、電子制御ユニットＥＣＵ１００へ伝送する。
電子制御ユニットＥＣＵ１００は、機電制御装置、固相電子回路装置及びマイクロプロセッサと関連ソフトウェアによって構成され、入力制御装置ＯＩＤ１００のコマンドを受け、及び温度計測器ＴＤ１００と液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【０１２５】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【０１２６】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【０１２７】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【０１２８】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【０１２９】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【０１３０】
凝結器ＣＯＮ１００は、熱伝導性が良好な材料によって構成され、その内部に冷媒ＲＥＦ１００が流通する管路構造を備え、冷媒ＲＥＦ１００凝結させる。
減圧スロットル装置Ｒ１００は、膨張弁または毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置する。
【０１３１】
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
ファンＦ１０１は、電気モータまたは機械的な回転力によって駆動されるファンであり、エアーを蒸発器ＥＶＡ１００に通過させ、蒸発器ＥＶＡ１００と熱交換したエアーを再び送り出す。
ファンＦ１０２は、電気モータまたは機械的な回転力によって駆動されるファンであり、エアーを凝結器ＣＯＮ１００に通過させ、凝結器ＣＯＮ１００とエアーを熱交換させる。
【０１３２】
図１５は、図７のシステムに減圧スロットル装置Ｒ１００を追加設置するシステム構成模式図である。
図１５に示すように、その主な構成は以下の通りである。
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【０１３３】
温度計測器ＴＤ１００は、蒸発器によって生じた温度を計測し、電子制御ユニットＥＣＵ１００へ伝送する。
電子制御ユニットＥＣＵ１００は、機電制御装置、固相電子回路装置及びマイクロプロセッサと関連ソフトウェアによって構成され、入力制御装置ＯＩＤ１００のコマンドを受け、及び温度計測器ＴＤ１００と液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【０１３４】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【０１３５】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【０１３６】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【０１３７】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【０１３８】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【０１３９】
凝結器ＣＯＮ１００は、熱伝導性が良好な材料によって構成され、その内部に冷媒ＲＥＦ１００が流通する管路構造を備え、冷媒ＲＥＦ１００凝結させる。
減圧スロットル装置Ｒ１００は、膨張弁または毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置する。
【０１４０】
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
熱交換装置ＨＥ１００は、一次側蒸発器ＥＶＡ１００及び二次側管路Ｐ２００を結合させることによって、熱エネルギーを伝送する構造である。
二次側管路Ｐ２００は、熱交換装置ＨＥ１００の二次側管路であり、気体または液体流体を通過させる。
【０１４１】
図１６は、図８のシステムに減圧スロットル装置Ｒ１００を追加設置するシステム構成模式図である。
図１６に示すように、その主な構成は以下の通りである。
入力制御装置ＯＩＤ１００は、手動操作電気機械インタフェースによって構成され、またはアナログまたはデジタルで入力信号を制御する回路装置によって構成され、システムの起動／停止、動作モードの選択、設定温度の調節、及びファンを設けときの風量設定等の動作を制御する。
【０１４２】
温度計測器ＴＤ１００は、蒸発器によって生じた温度を計測し、電子制御ユニットＥＣＵ１００へ伝送する。
電子制御ユニットＥＣＵ１００は、機電制御装置、固相電子回路装置及びマイクロプロセッサと関連ソフトウェアによって構成され、入力制御装置ＯＩＤ１００のコマンドを受け、及び温度計測器ＴＤ１００と液体冷媒検出器ＨＤ１００が計測した信号を処理し、駆動回路装置ＣＤ１００を操作してから、更に冷媒インジェックタＩＪ１００を駆動し、凝結器ＣＯＮ１００から来る液相冷媒ＲＥＦ１００を制御し、冷媒インジェックタＩＪ１００を経て、蒸発器ＥＶＡ１００の内部または外部に加圧噴射するタイミングを制御する。
【０１４３】
駆動回路装置ＣＤ１００は、電子制御ユニットＥＣＵ１００の制御信号を受けてから、冷媒インジェックタＩＪ１００を駆動制御し、凝結器ＣＯＮ１００から来る液体冷媒ＲＥＦ１００を駆動制御する固定の方向または周期的に変動する方向に沿って、設定量と設定強度を加圧噴射し、細顆粒状または微細な霧状を蒸発器ＥＶＡ１００の内部または外部に噴射させる。
【０１４４】
冷媒インジェックタＩＪ１００は、一個または一個以上の機械力または電磁力、磁気ひずみ、または、圧電効果によって駆動される能動的加圧噴射機能を有する装置を通して、蒸発器ＥＶＡ１００と結合しまたは蒸発器ＥＶＡ１００と一体構造であり、駆動回路装置ＣＤ１００の駆動制御を受け、減圧スロットル装置Ｒ１００から来る液体冷媒ＲＥＦ１００を駆動制御することによって、固定の方向または周期的に変動する方向及び設定量と設定強度によって加圧噴射し、細顆粒状または微細な霧状を蒸発器ＥＶＡ１００の内部または外部に噴射させる。
【０１４５】
蒸発器ＥＶＡ１００は、熱伝導性が良好な材料によって構成され、その内部に流体が流通する空間構造を備え、蒸発器ＥＶＡ１００に冷媒インジェックタＩＪ１００を設け、凝結器ＣＯＮ１００から来る冷媒ＲＥＦ１００を噴射し、及び蒸発した気体となった冷媒ＲＥＦ１００を流出させ、または完全に蒸発されていない液体冷媒ＲＥＦ１００を流出させる出口を設ける。
【０１４６】
液体冷媒検出器ＨＤ１００は、蒸発器ＥＶＡ１００に設置し、蒸発器ＥＶＡ１００内にある冷媒ＲＥＦ１００の蒸発状況を計測し、冷媒ＲＥＦ１００が完全に蒸発されていないとき、液体冷媒ＲＥＦ１００が残留されたとき、信号を電子制御ユニットＥＣＵ１００へフィードバックさせ、電子制御ユニットＥＣＵ１００によって駆動回路装置ＣＤ１００を制御することによって、冷媒インジェックタＩＪ１００を制御し、蒸発器ＥＶＡ１００へ噴射する冷媒ＲＥＦ１００の噴注量を減らせる。
【０１４７】
圧縮ポンプＰＵＭＰ１００は、機械力またはモータの力、油圧モータ、エンジン、または、電磁コイルを回転駆動または往復駆動させる圧搾流体ポンプによって、蒸発器ＥＶＡ１００から来る気体冷媒ＲＥＦ１００を圧縮する。
【０１４８】
凝結器ＣＯＮ１００は、熱伝導性が良好な材料によって構成され、その内部に冷媒ＲＥＦ１００が流通する管路構造を備え、冷媒ＲＥＦ１００凝結させる。
減圧スロットル装置Ｒ１００は、膨張弁または毛細管装置または液面制御装置によって構成され、凝結器ＣＯＮ１００から来る冷媒を降圧及びスロットルさせ、凝結器ＣＯＮ１００と冷媒インジェックタＩＪ１００との間に設置する。
【０１４９】
管路Ｐ１００は、上述した冷媒インジェックタＩＪ１００、蒸発器ＥＶＡ１００、圧縮ポンプＰＵＭＰ１００、凝結器ＣＯＮ１００を連結し、冷媒ＲＥＦ１００をその中で循環させる。
熱交換装置ＨＥ１００は、一次側蒸発器ＥＶＡ１００及び二次側管路Ｐ２００を結合させることによって、熱エネルギーを伝送する構造である。
【０１５０】
二次側管路Ｐ２００は、熱交換装置ＨＥ１００の二次側管路であり、気体または液体流体を通過させる。
ファンＦ１０２は、電気モータまたは機械的な回転力によって駆動されるファンであり、エアーを凝結器ＣＯＮ１００に通過させ、凝結器ＣＯＮ１００とエアーを熱交換させる。
本項の能動噴射式の冷媒供給制御を行う調温システムを実際応用するとき、その構造型態は下記の通りである。
【０１５１】
本項の能動噴射式の冷媒供給制御を行う調温システムの蒸発器ＥＶＡ１００に設置する冷媒インジェックタＩＪ１００は、一個または一個以上によって構成されることを含む。
本項の能動噴射式の冷媒供給制御を行う調温システムの蒸発器ＥＶＡ１００及び冷媒インジェックタＩＪ１００は、別々の構造または一体構造によって構成されることを含む。
【０１５２】
本項の能動噴射式の冷媒供給制御を行う調温システムの蒸発器ＥＶＡ１００に設置する冷媒インジェックタＩＪ１００と減圧スロットル装置Ｒ１００が一体構造または分離構造であることを含む。
本項の能動噴射式の冷媒供給制御を行う調温システムの駆動回路装置ＣＤ１００は、更に一歩進んで、冷媒インジェックタＩＪ１００によって噴射を制御する冷煤は、細顆粒状または微細な霧状である。
【０１５３】
本項の能動噴射式の冷媒供給制御を行う調温システムの駆動回路装置ＣＤ１００は、更に一歩進んで、冷媒インジェックタＩＪ１００の噴射方向を制御し、連続、間接または噴射方向の変動を周期的にスキャンすることを含む。
本項の能動噴射式の冷媒供給制御を行う調温システムは、一体型または分離型空調（冷暖房）、氷蓄熱空調、冷蔵庫、冷凍や降温または加熱温度制御、除湿応用装置への応用を含む。
【符号の説明】
【０１５４】
ＣＤ１００：駆動回路装置
ＣＯＮ１００：凝結器
ＥＣＵ１００：電子制御ユニット
ＥＶＡ１００：蒸発器
Ｆ１０１、Ｆ１０２：ファン
ＨＤ１００：液体冷媒検出器
ＨＥ１００：熱交換装置
ＩＪ１００：冷媒インジェックタ
ＯＩＤ１００：入力制御装置
Ｐ１００：管路
Ｐ２００：二次側管路
ＰＵＭＰ１００：圧縮ポンプ
Ｒ１００：減圧スロットル装置
ＲＥＦ１００：冷媒
ＴＤ１００：温度計測器
【図１】
0005937807.tif 000002
【図２】
0005937807.tif 000003
【図３】
0005937807.tif 000004
【図４】
0005937807.tif 000005
【図５】
0005937807.tif 000006
【図６】
0005937807.tif 000007
【図７】
0005937807.tif 000008
【図８】
0005937807.tif 000009
【図９】
0005937807.tif 000010
【図１０】
0005937807.tif 000011
【図１１】
0005937807.tif 000012
【図１２】
0005937807.tif 000013
【図１３】
0005937807.tif 000014
【図１４】
0005937807.tif 000015
【図１５】
0005937807.tif 000016
【図１６】
0005937807.tif 000017